(57)【要約】【課題】化粧料を狙いの位置に容易且つ確実に塗布できる化粧料容器及び化粧料用容器を提供することを課題とする。【解決手段】容器本体１から突出する位置決め部４は、塗布部２による塗布位置を位置決めするものであり、この位置決め部４を例えば皮膚等の所定の位置に押し当てることによって、塗布部２による塗布位置を狙いの位置として自動的に位置決めでき、塗布部２が位置している位置が、塗布部２の一般的に推奨される塗布位置となる。この場合、塗布の際に、位置決め部４は邪魔にならず且つ移動させる必要がなく、従って、化粧料を狙いの位置に容易且つ確実に塗布できる。【選択図】図３
2015104490.tif 000002
【特許請求の範囲】
【請求項１】
化粧料を収容した容器本体と、前記容器本体内の前記化粧料を外部に流出させ被塗布部に塗布する塗布部と、を備えた化粧料容器において、
前記容器本体から突出し、前記塗布部による塗布位置を位置決めするための位置決め部を有することを特徴とする化粧料容器。
【請求項２】
前記位置決め部は、弾性を有することを特徴とする請求項１記載の化粧料容器。
【請求項３】
前記位置決め部は、径方向に延びてから軸線方向上方に延びることを特徴とする請求項１又は２記載の化粧料容器。
【請求項４】
前記位置決め部は、前記容器本体から径方向に横軸部が延び、その先端から垂直方向に縦軸部が延びていることを特徴とする請求項３記載の化粧料容器。
【請求項５】
前記位置決め部は、前記容器本体から垂直方向に縦軸部が延びていることを特徴とする請求項１又は２記載の化粧料容器。
【請求項６】
前記位置決め部は、前記容器本体から斜め上方に斜軸部が延びていることを特徴とする請求項１又は２記載の化粧料容器。
【請求項７】
前記位置決め部は、その先端を顔の所定位置に押し当てることにより、前記化粧料の塗布位置を位置決めするものである請求項１〜６の何れか一項に記載の化粧料容器。
【請求項８】
化粧料を収容可能とする容器本体と、前記容器本体内の化粧料を外部に流出させ被塗布部に塗布可能とする塗布部と、を備えた化粧料用容器において、
前記容器本体から突出し、前記塗布部による塗布位置を位置決めするための位置決め部を有することを特徴とする化粧料用容器。
【発明の詳細な説明】
【技術分野】
【０００１】
本発明は、化粧料容器及び化粧料用容器に関する。
【背景技術】
【０００２】
従来、化粧料容器として以下の特許文献１に記載のものが知られている。この特許文献１に記載の化粧料容器は、概略、粉体化粧料を収容する容器本体と、容器本体内の粉体化粧料を外部に流出させ顔等の皮膚に塗布するための塗布体と、容器に装着されＣ形止め輪形状を呈するストッパーと、を備える。
【０００３】
そして、ストッパーが装着されたままの未使用時にあっては、容器本体内の粉体化粧料を塗布体に導く流路が閉にされて粉体化粧料が密封され、使用開始時にあっては、ストッパーの外周面に突設された小リング状の把手を持って水平方向に引き抜くことでストッパーを取り外し、その後、塗布体を有する移動部を容器本体側に押し込むことで上記流路が開にされ、使用可能となる。
【０００４】
ここで、最近にあっては、取り外したストッパーを利用し、鏡を見ながらストッパーの把手を小鼻の脇に押し当てることで、Ｃ形止め輪形状の部分を、頬紅の塗布位置の狙いとする使用方法が知られてきている。
【先行技術文献】
【特許文献】
【０００５】
【特許文献１】特許第５１１８７３４号公報
【発明の概要】
【発明が解決しようとする課題】
【０００６】
しかしながら、上記使用方法では、塗布体により塗布するときに、Ｃ形止め輪形状の部分が邪魔で一々移動させる必要があるため、塗布が煩雑で面倒である。また、このように、塗布のときには、Ｃ形止め輪形状の部分は移動しているため、目印がなくなり塗布位置がずれてしまう場合もある。
【０００７】
そこで、本発明は、化粧料を狙いの位置に容易且つ確実に塗布できる化粧料容器及び化粧料用容器を提供することを目的とする。
【課題を解決するための手段】
【０００８】
本発明による化粧料容器は、化粧料を収容した容器本体と、容器本体内の化粧料を外部に流出させ被塗布部に塗布する塗布部と、を備えた化粧料容器において、容器本体から突出し、塗布部による塗布位置を位置決めするための位置決め部を有することを特徴としている。
【０００９】
このような化粧料容器によれば、容器本体から突出する位置決め部は、塗布部による塗布位置を位置決めするものであり、この位置決め部が例えば皮膚等の所定の位置に押し当てられることによって、塗布部による塗布位置が狙いの位置として自動的に位置決めされ、塗布部が位置している位置が、塗布部の一般的に推奨される塗布位置となる。従って、塗布の際に、位置決め部が邪魔にならず且つ移動させる必要がなく、その結果、化粧料を狙いの位置に容易且つ確実に塗布できる。
【００１０】
ここで、位置決め部は、弾性を有するのが好ましい。このような構成を採用した場合、位置決め部を皮膚に押し当てたときの触感が良い。また、位置決め部を強く押し当てた場合でも、押し当てた部分を支持する部分が弾性により撓むことから、この場合の触感も良い。
【００１１】
また、上記作用を好適に奏する位置決め部としては、具体的には、径方向に延びてから軸線方向上方に延びる構成が挙げられる。
【００１２】
また、上記作用を好適に奏する位置決め部としては、具体的には、容器本体から径方向に横軸部が延び、その先端から垂直方向に縦軸部が延びる構成が挙げられる。
【００１３】
また、上記作用を好適に奏する位置決め部としては、具体的には、容器本体から垂直方向に縦軸部が延びる構成が挙げられる。
【００１４】
また、上記作用を好適に奏する位置決め部としては、具体的には、容器本体から斜め上方に斜軸部が延びる構成が挙げられる。
【００１５】
また、上記作用を好適に奏する構成としては、具体的には、位置決め部の先端を顔の所定位置に押し当てることにより、化粧料の塗布位置を位置決めする構成が挙げられる。
【００１６】
また、化粧料を容器本体に収容する前の化粧料用容器、具体的には、化粧料を収容可能とする容器本体と、容器本体内の化粧料を外部に流出させ被塗布部に塗布可能とする塗布部と、を備えた化粧料用容器に対しても適用可能であり、この場合も、容器本体から突出し、塗布部による塗布位置を位置決めするための位置決め部を有する構成を採用することによって、上述した化粧料容器と同様に、化粧料を狙いの位置に容易且つ確実に塗布することが可能となる。
【発明の効果】
【００１７】
このように本発明によれば、化粧料を狙いの位置に容易且つ確実に塗布できる化粧料容器及び化粧料用容器を提供できる。
【図面の簡単な説明】
【００１８】
【図１】本発明の第１実施形態に係る化粧料容器を示す斜視図である。
【図２】図１中の容器本体と位置決め部の分解斜視図である。
【図３】図１に示す化粧料容器の使用方法を説明するための図である。
【図４】本発明の第２実施形態に係る化粧料容器の位置決め部を示す斜視図である。
【図５】本発明の第３実施形態に係る化粧料容器の位置決め部を示す斜視図である。
【図６】本発明の第４実施形態に係る化粧料容器の位置決め部を示す斜視図である。
【図７】本発明の第５実施形態に係る化粧料容器を示す斜視図である。
【図８】本発明の第６実施形態に係る化粧料容器を示す斜視図である。
【図９】本発明の第７実施形態に係る化粧料容器の位置決め部を示す斜視図である。
【図１０】本発明の第８実施形態に係る化粧料容器の位置決め部を示す斜視図である。
【発明を実施するための形態】
【００１９】
以下、本発明による化粧料容器の好適な実施形態について図１〜図１０を参照しながら説明する。図１〜図３は、本発明の第１実施形態を、図４は、本発明の第２実施形態を、図５は、本発明の第３実施形態を、図６は、本発明の第４実施形態を、図７は、本発明の第５実施形態を、図８は、本発明の第６実施形態を、図９は、本発明の第７実施形態を、図１０は、本発明の第８実施形態を各々示すものである。
【００２０】
先ず、図１〜図３に示す第１実施形態を説明する。図１及び図２は、第１実施形態に係る化粧料容器を示す各図、図３は、化粧料容器の使用方法を説明するための図である。
【００２１】
本実施形態の化粧料容器は、粉体化粧料を被塗布部に塗布する際に用いられるものであり、ここでは、特に頬紅を塗布するのに好適な化粧料容器として説明する。
【００２２】
図１に示すように、化粧料容器１００は、粉体化粧料である頬紅を収容する容器本体１と、容器本体１の頬紅を被塗布部である頬に塗布するための塗布体（塗布部）２と、塗布体２を覆うキャップ３と、容器本体１に連結された位置決め部４と、を備える。
【００２３】
容器本体１は、段付きの有底円筒状に構成され、内部に頬紅を収容する。容器本体１は、上部側の小径部と下部側の大径部を外周の段差面１ａを介して連ねた形状を呈し、小径部の外周面に、キャップ３を着脱するための雄螺子１ｂが形成される。また、容器本体１の段差面１ａには、位置決め部４を連結するための溝１ｃが形成される。
【００２４】
溝１ｃの形状は、図２に示すように、段差面１ａから下方に延び平面視略四角形を成す凹部１ｄと、凹部１ｄの上下方向に亘って形成され当該凹部１ｄの長手方向幅より小さい幅で凹部１ｄを外方に開放する開口１ｅと、を備える。凹部１ｄは、位置決め部４の後述の連結部４ａの形状にほぼ合致し、開口１ｅは、位置決め部４の後述の横軸部４ｂの横断面形状にほぼ合致する。
【００２５】
塗布体２は、容器本体１の上部を覆うようにして容器本体１の上部に装着され、容器本体１内の頬紅を外部に流出可能とする。この塗布体２は、ここでは、頬紅が通るのに適した発泡率のウレタン発泡体から成るスポンジとされている。
【００２６】
図１に示すように、キャップ３は、有底円筒状に構成され、内周面の雌螺子（不図示）が容器本体１の雄螺子１ｂに螺合することにより、容器本体１に着脱自在に装着される。
【００２７】
位置決め部４は、塗布体２による塗布位置を位置決めするためのものであり、容器本体１に連結される連結部４ａと、連結部４ａから水平方向（容器本体１の径方向）に延びる横軸部４ｂと、横軸部４ｂの先端から垂直方向上方（容器本体１の軸線方向上方）に延びる縦軸部４ｃと、縦軸部４ｃの先端に設けられた当接部４ｄを一体成形したものである。ここでいう上方とは、塗布体２の塗布面側のことである。そして、位置決め部４を容器本体１から突出させることで、位置決め部４は塗布体２からも突出して形成される。この位置決め部４は弾性を有し、ここでは、シリコンゴムより成形されている。なお、特に好ましいとして、位置決め部４は弾性を有しているが、弾性を有するものに限られない。また、位置決め部４において、横軸部４ｂ及び縦軸部４ｃが弾性を有しない場合でも、当接部４ｄは弾性を有していることが好ましい。
【００２８】
図２に示すように、連結部４ａは、略平板状に形成され、その長手方向が水平方向に向くと共にその短手方向が上下方向を向くように構成される。横軸部４ｂは、略平板状に形成され、その長手方向が水平方向に向くと共にその短手方向が上下方向を向いて連結部４ａに直交するように連設され、連結部４ａと共に平面視Ｔ字状を成すように構成される。縦軸部４ｃも、略平板状に形成され、その長手方向が上下方向に向くと共にその短手方向が水平方向を向いて横軸部４ｂに直交するように連設され、横軸部４ｂと共に側面視Ｌ字状を成すように構成される。当接部４ｄは、略球状に形成され、縦軸部４ｃの上端に連設される。ここで、位置決め部４の当接部４ｄの直径は３〜１０ｍｍであることが好ましい。また、当接部４ｄは、ここでは、小鼻の脇に押し当てることにより、塗布体２による頬紅の塗布位置を位置決めするものである。当接部４ｄを当接させる部分としては、小鼻以外には、例えば、目の下、耳や口角付近等が挙げられる。
【００２９】
このような構成を有する位置決め部４は、その連結部４ａが容器本体１の凹部１ｄに圧入されると共に、その横軸部４ｂが容器本体１の開口１ｅを通りその先端側が外方に突出するようにして圧入され、これにより、図１に示すように、容器本体１に連結される。なお、位置決め部４の連結部４ａは容器本体１の凹部１ｄに対して着脱可能であり、位置決め部４は必要に応じて容器本体１に対して取り付け又は取り外しされる。また、位置決め部４に横軸部４ｂが形成されていることにより、容器本体１に位置決め部４を連結させたまま、容器本体１に対するキャップ３の着脱が可能である。
【００３０】
ここで、位置決め部４の当接部４ｄの天面の高さは、好ましくは、塗布体２の天面から下方１５ｍｍ〜上方１５ｍｍの間の位置に設けられており、さらに好ましくは、塗布体２の天面から下方１０ｍｍ〜上方１０ｍｍの間の位置に設けられる。例えば、小鼻付近に当接部４ｄを押し当てる場合には、当接部４ｄの天面の高さ位置は、好ましくは、塗布体２の天面から０ｍｍ〜下方１５ｍｍの間の位置に設けられ、さらに好ましくは、塗布体２の天面から下方５ｍｍ〜下方１２ｍｍの間の位置に設けられる。
【００３１】
また、位置決め部４の当接部４ｄの中心位置は、例えば小鼻付近に当接部４ｄを押し当てる場合、好ましくは、容器側面から径方向５〜３０ｍｍの位置、又は、塗布体２の中心から径方向２５〜５５ｍｍの位置にくるように構成される。さらに好ましくは、容器側面から径方向５〜１５ｍｍの位置、又は、塗布体２の中心から径方向２５〜４０ｍｍの位置にくるように構成される。
【００３２】
次に、このような構成を有する化粧料容器１００の使用方法を説明する。
【００３３】
使用者は、キャップ３を取り外して化粧料が収容された容器本体１を持ち、図３に示すように、位置決め部４の先端の当接部４ｄを使用者Ｗの小鼻Ｎの脇に押し当てる。このとき、横軸部４ｂが略水平方向を向くようにする。
【００３４】
このように位置決め部４の先端の当接部４ｄを使用者Ｗの小鼻Ｎの脇に押し当てることにより、図示のように、塗布体２による頬紅の塗布位置が狙いの位置として自動的に位置決めされ、塗布体２が位置している位置が、頬紅の一般的に推奨される塗布位置となる。使用者Ｗは、この状態で、塗布体２を頬に叩くようにして頬紅を塗布すれば良い。なお、横軸部４ｂは水平方向を向くのが必須ではなく、顔の形状、大きさ等により、適宜方向を微調整するのが良い。
【００３５】
このように、本実施形態においては、容器本体１から突出する位置決め部４により、塗布体２の塗布位置を位置決めでき、この位置決め部４は、塗布の際に邪魔にならず且つ移動させる必要もない。このため、頬紅を狙いの位置に容易且つ確実に塗布できる。
【００３６】
また、本実施形態においては、位置決め部４が弾性を有しているため、位置決め部４の当接部４ｄを皮膚に押し当てたときの触感が良い。また、位置決め部４の当接部４ｄを強く押し当てた場合でも、当接部４ｄを支持する部分である縦軸部４ｃが弾性により撓むため、この場合の触感も良い。
【００３７】
また、塗布体２の頂点より当接部４ｄが軸線方向上方にある場合、使用時に当接部４ｄが先に小鼻Ｎに接触し、さらに押し付けると縦軸部４ｃが撓み塗布体２と頬が接触し、化粧を正確な位置に施すことが可能となる。
【００３８】
図４は、本発明の第２実施形態に係る化粧料容器の位置決め部を示す斜視図、図５は、本発明の第３実施形態に係る化粧料容器の位置決め部を示す斜視図、図６は、本発明の第４実施形態に係る化粧料容器の位置決め部を示す斜視図である。
【００３９】
第２実施形態の位置決め部１４が第１実施形態の位置決め部４と違う点は、弾性を有する縦軸部４ｃを、コイルバネ１４ｃとした点である。
【００４０】
第３実施形態の位置決め部１５が第１実施形態の位置決め部４と違う点は、弾性を有する縦軸部４ｃを、螺旋状の樹脂バネ１５ｃとした点である。
【００４１】
第４実施形態の位置決め部１６が第１実施形態の位置決め部４と違う点は、弾性を有する縦軸部４ｃを、略菱形状を呈する樹脂バネ１６ｃとした点である。この樹脂バネ１６ｃは、反った板バネ様で四辺を構成し、四辺で囲まれた部分が空間とされている。
【００４２】
このような第２、第３、第４実施形態においても、縦軸部１４ｃ，１５ｃ，１６ｃが軸線方向に伸縮するので、当接部４ｄを皮膚に押し当てたときの触感が良く、第１実施形態と同様な作用・効果を奏するというのはいうまでもない。
【００４３】
図７は、本発明の第５実施形態に係る化粧料容器を示す斜視図である。
【００４４】
この第５実施形態の位置決め部１７が第１実施形態の位置決め部４と違う点は、縦軸部４ｃを上方に延ばすと共に、この縦軸部４ｃの当接部４ｄ寄りの位置に、円環状のリング体１７ｅを設けた点である。このリング体１７ｅは、その軸線が塗布体２の軸線と同軸となるように配置される。
【００４５】
リング体１７ｅは、ここでは、連結部４ａ、横軸部４ｂ、縦軸部４ｃ、当接部４ｄと一体成形したものであり、従って、弾性を有する。なお、リング体１７ｅを別部品として縦軸部４ｃに連結しても良い。また、リング体１７ｅの内径は、塗布体２の外径より大きくされている。
【００４６】
このような第５実施形態の化粧料容器２００によれば、当接部４ｄを小鼻Ｎの脇に押し当てることにより、頬紅が塗布される頬の場所にリング体１７ｅがくるため、そのまま塗布体２を頬に押し付けるようにして化粧を行う。このように、リング体１７ｅが、頬紅が塗布される頬の場所にくることにより、より分かりやすい化粧のガイドを行うことができる。そして、塗布体２を頬に押し付けるようにすれば、リング体１７ｅが軸線方向塗布体２側に移動すると共に塗布体２がリング体１７ｅの内側を通るように縦軸部４ｃが撓み、頬に塗布体２が当接し化粧を施すことができる。
【００４７】
なお、このようなリング体１７ｅの付加は、第２〜第４実施形態に適用しても良い。
【００４８】
図８は、本発明の第６実施形態に係る化粧料容器を示す斜視図である。
【００４９】
この第６実施形態の化粧料容器３００が第１実施形態の化粧料容器１００と違う点は、容器本体１の上部の一部を径方向外側に膨出させ、この膨出部１ｆに、縦軸部４ｃ及び当接部４ｄから成る位置決め部１８を連結し立設させた点である。ここでは、縦軸部４ｃが膨出部１ｆに圧入されることにより連結されている。
【００５０】
このように構成しても第１実施形態と同様な効果を得ることができるというのはいうまでもない。
【００５１】
なお、このような膨出部１ｆに対して第２〜第５実施形態の位置決め部１４〜１７を適用することもできる。この場合には、連結部４ａ及び横軸部４ｂはなくて良い。
【００５２】
図９は、本発明の第７実施形態に係る化粧料容器の位置決め部を示す斜視図、図１０は、本発明の第８実施形態に係る化粧料容器の位置決め部を示す斜視図である。
【００５３】
第７実施形態の位置決め部１９が第１実施形態の位置決め部４と違う点は、横軸部４ｂ及び縦軸部４ｃを、斜め上方に直線状に延びる斜軸部１９ｅに代えた点である。
【００５４】
第８実施形態の位置決め部２０が第１実施形態の位置決め部４と違う点は、横軸部４ｂ及び縦軸部４ｃを、斜め上方に湾曲して延びる斜軸部２０ｅに代えた点である。
【００５５】
このような第７、第８実施形態においても、斜軸部１９ｅ，２０ｅが弾性により撓むので、当接部４ｄを皮膚に押し当てたときの触感が良く、第１実施形態と同様な作用・効果を奏するというのはいうまでもない。なお、このような斜軸部１９ｅ，２０ｅは、第２〜第６実施形態にも適用できる。
【００５６】
以上、本発明をその実施形態に基づき具体的に説明したが、本発明は上記実施形態に限定されるものではなく、例えば、上記実施形態においては、特に好適であるとして、塗布体２をスポンジとしているが、他の柔らかい発泡体でも良く、要は、頬紅を外部に流出させて頬に塗布できるものであれば良い。また、塗布体２に代えて、例えば樹脂等より成る例えばドーム状の塗布部を容器本体１に固定し、この塗布部に、頬紅を外部に流出させる貫通孔を備える構成としても良い。
【００５７】
また、上記実施形態においては、図１、図７及び図８に示すように、容器本体１は、位置決め部４，１４〜２０及び雄螺子１ｂを含む上半部と、これより下の下半部に分かれているが、分かれていない一体の容器本体でも良い。また、位置決め部４，１４〜２０は、上半部ではなく下半部から突出していても良い。
【００５８】
また、上記実施形態においては、特に好適であるとして、位置決め部４，１４〜２０の先端の当接部４ｄを小鼻Ｎの脇に押し当て、これにより、頬紅の塗布位置を位置決めできる化粧料容器としているが、位置決め部４，１４〜２０の先端の当接部４ｄを上記とは別の位置に押し当てることにより、上記とは別の塗布位置を位置決めできる化粧料容器とすることもできる。この場合、化粧料は頬紅に限定されるものではない。
【００５９】
さらにまた、上記実施形態においては、特に好適であるとして、化粧料を粉体化粧料としているが、液状化粧料等にも適用できる。
【００６０】
なお、上記実施形態においては、化粧料を容器本体１に収容した化粧料容器として具体的に説明したが、化粧料を収容する前の容器本体１と、上述した塗布部２及びキャップ３並びに位置決め部４（１４〜２０）とを有する化粧料用容器に対しても勿論適用できる。この化粧料用容器は、容器本体１に化粧料を収容し化粧料容器となる。
【符号の説明】
【００６１】
１…容器本体、２…塗布体（塗布部）、４，１４，１５，１６，１７，１８，１９，２０…位置決め部、４ａ…連結部、４ｂ…横軸部、４ｃ，１４ｃ，１５ｃ，１６ｃ…縦軸部、４ｄ…当接部、１７ｅ…リング体、１９ｅ，２０ｅ…斜軸部、１００，２００，３００…化粧料容器、Ｎ…小鼻、Ｗ…使用者。
【図１】
2015104490.tif 000003
【図２】
2015104490.tif 000004
【図３】
2015104490.tif 000005
【図４】
2015104490.tif 000006
【図５】
2015104490.tif 000007
【図６】
2015104490.tif 000008
【図７】
2015104490.tif 000009
【図８】
2015104490.tif 000010
【図９】
2015104490.tif 000011
【図１０】
2015104490.tif 000012